(57)【要約】【課題】屈曲面を有する案内装置を用いて、下部で発生する煙、蒸気などを効率よく外部へ排出させ得る壁掛け型電子レンジを提供する。【解決手段】レンジ本体と、煙、蒸気などを排出するため、前記レンジ本体内に設けられる排気ダクトと、前記レンジ本体に対して進退するように前記レンジ本体に設けられ、下部で発生する煙、蒸気などを前記排気ダクトの流入口に案内するため、引き出されるにつれて先端部が前方及び下方に曲がるようになった案内装置とを含む。【選択図】　　　　図２
2004108753.tif 000002
【特許請求の範囲】
【請求項１】
レンジ本体と、
煙、蒸気などを排出するため、前記レンジ本体内に設けられる排気ダクトと、前記レンジ本体に対して進退するように前記レンジ本体に設けられ、下部で発生する煙、蒸気などを前記排気ダクトの流入口に案内するため、引き出されるにつれて先端部が前方及び下方に曲がるようになった案内装置と
を含んでなることを特徴とする壁掛け型電子レンジ。
【請求項２】
前記案内装置は、
隙間を介在させた多数の案内片と、
隣接した案内片を連結する連結部と
を含むことを特徴とする請求項１に記載の壁掛け型電子レンジ。
【請求項３】
前記各連結部は、
隣接した案内片の側面に固定される一対のヒンジピンと、
前記一対のヒンジピンにヒンジ方式で連結されるリンクと
を含むことを特徴とする請求項２に記載の壁掛け型電子レンジ。
【請求項４】
前記電子レンジは、前記案内片の最前方案内片に設けられた取っ手をさらに含むことを特徴とする請求項２に記載の壁掛け型電子レンジ。
【請求項５】
前記取っ手は棒状を有することを特徴とする請求項４に記載の壁掛け型電子レンジ。
【請求項６】
前記電子レンジは、前記案内装置を収容するため、前記レンジ本体内に設けられる収容室をさらに含み、前記案内装置は、前記収容室からの離脱を防止するため、一つ以上の係止突起を含むことを特徴とする請求項１に記載の壁掛け型電子レンジ。
【請求項７】
レンジ本体と、
飲食物を調理するため、前記レンジ本体内に設けられる加熱部と、
煙、蒸気などを排出するため、前記レンジ本体内に設けられる排気ダクトと、
前記レンジ本体に対して進退可能に設けられ、下部で発生する煙、蒸気などを前記排気ダクトの流入口に案内するための形状をなすため、前記レンジ本体から前方に引き出されるにつれて曲がる表面を有する案内装置と
を含んでなることを特徴とする装着型調理装置。
【請求項８】
前記案内装置は、煙、蒸気などを効率よく案内するため、前記レンジ本体から前方に引き出されると屈曲路に沿って下方に曲がり、前記屈曲面は、前記案内装置が前記レンジ本体内に後退すると、案内装置の元の表面状態に復元することを特徴とする請求項７に記載の装着型調理装置。
【請求項９】
前記案内装置は、
隙間を介在させた案内片と、
隣接した案内片を連結する連結部と
を含むことを特徴とする請求項７に記載の装着型調理装置。
【請求項１０】
前記各連結部は、
隣接した案内片の側面に固定される一対のヒンジピンと、
前記一対のヒンジピンにヒンジ方式で連結されるリンクと
を含むことを特徴とする請求項９に記載の装着型調理装置。
【請求項１１】
前記装着型調理装置は、前記案内片の最前方案内片に設けられた取っ手をさらに含むことを特徴とする請求項９に記載の装着型調理装置。
【請求項１２】
前記加熱部はマイクロ波を発生して飲食物を調理するためのマグネトロンを含むことを特徴とする請求項７に記載の装着型調理装置。
【請求項１３】
前記調理装置は壁掛け型電子レンジであることを特徴とする請求項７に記載の装着型調理装置。
【請求項１４】
前記案内装置は前記レンジ本体から引き出されると自重により下方に曲がることを特徴とする請求項７に記載の装着型調理装置。
【請求項１５】
レンジ本体、加熱部、及び下部の煙、蒸気などを調理装置の外部へ排出する排気ダクトを有する装着型調理装置の排気案内装置において、
前記レンジ本体に対して進退し、下部で発生する煙、蒸気などを前記排気ダクトに案内する屈曲路をなす案内板装置と、
前記案内板装置を収容する収容室と
を含むことを特徴とする排気案内装置。
【請求項１６】
前記案内板装置は前記レンジ本体から前方に引き出されるにつれて曲がる表面を有することを特徴とする請求項１５に記載の排気案内装置。
【請求項１７】
前記案内板装置は、煙、蒸気などの案内効率を向上させるため、前記レンジ本体から前方に引き出されると下方に曲がり、前記屈曲面は、前記案内装置が前記レンジ本体内に押し込まれると、前記案内板装置の元の表面状態に復元することを特徴とする請求項１５に記載の排気案内装置。
【請求項１８】
前記案内板装置は、
隙間を介在させた案内片と、
隣接した案内片を連結する連結部と
を含むことを特徴とする請求項１５に記載の排気案内装置。
【請求項１９】
前記各連結部は、
隣接した案内片の側面に固定される一対のヒンジピンと、
前記一対のヒンジピンにヒンジ方式で連結されるリンクと
を含むことを特徴とする請求項１８に記載の排気案内装置。
【請求項２０】
排気案内装置は、前記案内片の最前方案内片に設けられた取っ手をさらに含むことを特徴とする請求項１８に記載の排気案内装置。
【発明の詳細な説明】
【０００１】
【発明の属する技術分野】
本発明は下部で発生する蒸気、煙などを排気ダクトに案内するための案内装置を有する壁掛け型電子レンジに関するものである。
【０００２】
【従来の技術】
壁掛け型電子レンジはガスオーブンレンジの上部に設置され、その下部で調理される飲食物から発生する煙、蒸気などを外部に排出するため、本体の内部にフードモータと排気ダクトなどを備えている。
壁掛け型電子レンジは、捕集範囲を広めるため、煙、蒸気などを排気ダクト側に案内する案内部材を含んでいる。この案内部材は前後にスライド可能に設置され、ガスオーブンレンジで調理される飲食物の位置にまで移動するようになっている。
【０００３】
従来技術による壁掛け型電子レンジには平板形の案内部材が設けられている。平板形案内部材は電子レンジの本体から前方に引き出されるか後方に押し込まれる方式で作動した。平板形案内部材はガスオーブンレンジに対して平行に設置され、その案内部材の上面と下面は平らに形成され、下面はガスオーブンレンジと対面している。
【０００４】
従来技術によると、ガスオーブンレンジによる調理の際に発生する煙、蒸気などが上昇する途中で平板形案内部材により遮断されるが、その一部は排気ダクトに流入され、残りは流入されない。したがって、排気ダクト内のフードモータの作動による吸入力が及ばない領域に分布する煙、蒸気が調理空間に分散される問題点があった。
【０００５】
【発明が解決しようとする課題】
したがって、本発明は前記のような問題点を解決するためになされたもので、その目的は、屈曲面を有する案内装置を用いて、下部で発生する煙、蒸気などを効率よく外部へ排出させ得る壁掛け型電子レンジを提供することにある。
【０００６】
【課題を解決するための手段】
前記のような目的を達成するため、本発明は、レンジ本体と、煙、蒸気などを排出するため、前記レンジ本体内に設けられる排気ダクトと、前記レンジ本体に対して進退するように前記レンジ本体に設けられ、下部で発生する煙、蒸気などを前記排気ダクトの流入口に案内するため、引き出されるにつれて先端部が前方及び下方に曲がるようになった案内装置とを含んでなる壁掛け型電子レンジを提供する。
【０００７】
【発明の実施の形態】
以下、本発明の好ましい実施形態を添付図面に基づいて詳細に説明する。
図１はガスオーブンレンジ上の調理空間に設置された、本発明による案内装置を有する壁掛け型電子レンジの斜視図であり、図２は図１に示す案内装置の分解斜視図であり、図３は電子レンジ本体から引き出された案内装置の側面図である。
【０００８】
本発明による壁掛け型電子レンジ２０はガスオーブンレンジ１０の上部に設置され、ガスオーブンレンジ１０による調理の際に発生する煙、蒸気などを電子レンジ２０の排気ダクト２２に案内するための案内装置３０を備える。前記案内装置３０は本体２１内に設けられた収容室２３内に収容される。前記案内装置３０の一側に設けられた係止突起３２は収容室２３からの離脱を防止するために設けられる。
【０００９】
前記案内装置３０は、引き出されるにつれて屈曲する結合構造を有する。図２に示すように、前記案内装置３０は、水平に対して漸増する角度に傾くようになった複数の案内片３４と、前記複数の案内片３４を連結するための連結部とを含む。前記連結部はリンク３３と固定ピン３５とからなり、前記リンク３３と固定ピン３５により前記各案内片３４がヒンジ方式で連結される。
【００１０】
前記案内装置３０は最前方案内片３４に設けられる取っ手３１を含む。前記取っ手３１は使用者が握りやすくするために棒状に形成され、引き出された状態で振れないように適正重量を有することが好ましい。
使用者は取っ手３１を用いて前記案内装置３０を本体２１に対して進退させることができる。本体２１の収容室２３から引き出されるにつれて、前記案内装置３０の各案内片３４が水平に対して漸増する角度に傾くので、案内装置３０が下方に曲がることになる。
【００１１】
このように案内装置３０を引き出したままでガスオーブンレンジを用いて調理する場合、前記案内装置３０の先端部は下方に向かい、その下面が排気ダクトに向かって曲がっているので、ガスオーブンレンジで発生する煙、蒸気などを排気ダクト２２の流入口に案内することができる。
図３に示すように、前記案内装置３０により煙、蒸気などが排気ダクト２２の流入口に案内される場合、排気ダクトの内部に設けられたフードモータ（図示せず）の作動により生じる吸入力により排気ダクトの内部に流入され、その排出通路を沿って調理空間の外部へ排出される。ここで、前記排気ダクト２２は、ガスオーブンレンジの前方又はそのほかの位置に移動できる。
【００１２】
【発明の効果】
以上説明したように、本発明による壁掛け型電子レンジは、案内装置を引き出すと、その先端部が下方に下降し、その下面が曲がるので、電子レンジの下部に設けられたオーブンレンジから発生する煙、蒸気などを排気ダクトの流入口に容易に案内することができるので、排気性能を高める効果がある。
【図面の簡単な説明】
【図１】ガスオーブンレンジ上の調理空間内に設置される、本発明による案内装置を有する壁掛け型電子レンジを示す斜視図である。
【図２】図１に示す案内装置の分解斜視図である。
【図３】図２の案内装置がレンジ本体から引き出された状態を示す側面図である。
【符号の説明】
１０…ガスオーブンレンジ
２０…電子レンジ
３０…案内装置
【図１】
2004108753.tif 000003
【図２】
2004108753.tif 000004
【図３】
2004108753.tif 000005